(57)【特許請求の範囲】
【請求項１】
略々矩形の床板と該床板の第１方向端縁に立設した一対の側壁からなるチャンネル状部材と、前記一対の側壁の上にヒンジ結合されると共に屈曲する一対の折り畳み壁と、該一対の折り畳み壁の上にヒンジ結合される天井部と、前記チャンネル状部材の側壁の高さより小なる厚みと前記一対の側壁の間の間隔より小なる幅を有する二つの直方体のサブ・モジュールを含み、保管時においては前記サブ・モジュールを前記チャンネル状部材内に嵌合させた状態で前記一対の折り畳み壁を折り畳んで重ね合わせ、使用時においては前記一対の折り畳み壁を展開した状態で前記二つのサブ・モジュールを起立させて第２方向開口端を閉塞し、
前記二つのサブ・モジュールの間に前記チャンネル状部材の側壁の高さより小なる厚みと前記一対の側壁の間の間隔より小なる幅を有する第３のサブ・モジュールを設け、前記第３のサブ・モジュールは前記側壁に対向する略々長方形の側面を有し、前記二つのモジュールの長方形側面と前記第３のサブ・モジュールの長方形側面の長手方向寸法の合計は前記床板の第２方向寸法より小であり、前記第３のサブ・モジュールの長方形側面は床板と天井部の間隔より小なる対角線寸法を有し、保管時においては前記第３のサブ・モジュールを前記二つのサブ・モジュールと共に前記チャンネル状部材内に嵌合させて、使用時においては前記折り畳み壁を展開した状態で前記第３のサブ・モジュールを起立させることを特徴とする折り畳み式簡易住宅モジュール 。
【請求項２】
前記一対の折り畳み壁は略々同一高さで内側に屈曲することを特徴とする請求項１に記載の折り畳み式簡易住宅モジュール 。
【請求項３】
前記サブ・モジュールは生活に必要な設備を備え付けたことを特徴とする請求項１又は請求項２のいずれかに記載の折り畳み式簡易住宅モジュール 。
【発明の詳細な説明】
【０００１】
【産業上の利用分野】
本願発明は、折り畳み式簡易住宅モジュールに関するもので災害緊急時あるいはレジャー、スポーツ、各種イベント等の際に臨時に居住することに使用できる折り畳み式簡易住宅モジュールに関するものである。
【０００２】
【従来の技術】
これまで地震等の災害が発生した現地において避難住民のために、テントあるいは仮設住宅を設置して一時的な居住施設として提供してきた。また、近年レジャーの多様化に伴い野外のスポーツ活動や、各種イベントの一般人の参加が盛んになり屋外での短期の居住のためにもテントや仮設住宅が利用されるようになった。
【０００３】
【発明が解決しようとする課題】
しかし、災害発生地域における避難用の一時的住居としてテントを使用することは、雨風を避けるには不十分で特に寒冷地における災害の場合には避難民の肉体的精神的苦痛は一方ならぬものがあった。また、簡易な仮設住宅も利用されてはいるが、これらの機材は災害発生時には短期間に多数の需要があり、それに見合うだけの備蓄や運搬に要する保管スペースの確保や運搬作業の容易さや災害現場における設置時間の短縮等の問題で改善すべきことが多く残されていた。
【０００４】
また、野外でのスポーツ活動も、純粋なアウト・ドア・スポーツとは異なり一般人の参加による大衆化が進んだり、各種イベントの開催が増加するなかにあって、野外における一時的居住もテントでは快適さに欠けるという短所あり、また、これまでのような仮設住宅を設置するには手数や費用がかりすぎるきらいがあった。
【０００５】
本願発明は、以上のような問題を解決するために仮設住宅を設置するための機材の備蓄・運搬・設置にあたり要求されるスペースを確保したり、供給や設置時間を短縮しつつ、なお快適な居住空間や多様な内部設備を備えた折り畳み式簡易住宅モジュールを提供することを目的とする。
【０００６】
【課題を解決するための手段】
叙上の目的を達成するために、本願発明にかかる折り畳み式簡易住宅モジュールはその手段としては、略々矩形の床板と該床板の第１方向端縁に立設した一対の側壁からなるチャンネル状部材と、前記一対の側壁の上にヒンジ結合されると共に屈曲する一対の折り畳み壁と、該一対の折り畳み壁の上にヒンジ結合される天井部と、前記チャンネル状部材の側壁の高さより小なる厚みと前記一対の側壁の間の間隔より小なる幅を有する二つの直方体のサブ・モジュールを含む構成とした。
【０００７】
上記の構成を有するために、保管時においては前記サブ・モジュールを前記チャンネル状部材内に嵌合させた状態で前記一対の折り畳み壁を折り畳んで重ね合わせ、使用時においては前記一対の折り畳み壁を展開した状態で前記二つのサブ・モジュールを起立させて第２方向両開口端を略々閉塞する。このために、保管する時はサブ・モジュールを嵌合させたチャンネル状部材の側壁の上にヒンジ結合された一対の折り畳み壁を屈曲させることにより天井部をチャンネル状部材の上に畳み込み設置時の３分の１の体積に縮めることができ、設置に当たってはチャンネル状部材に収納されたサブ・    モジュールを起立させ壁の一部として利用することにより、きわめて短時間で設置させることができるようになった。
【０００８】
【実施例】
以下、添付の図面を参照して本願発明の実施例を説明する。図１において、折り畳み式簡易住宅モジュールＡの組立られた状態が示されている。該折り畳み式簡易住宅モジュール１は、略々長方形の床板１ａと該床板１ａの短軸方向両端縁に立設した一対の側壁１ｂ、１ｂを有するチャンネル状部材１をその基部に設けている。
【０００９】
前記一対の側壁１ｂ、１ｂの上には左右略々同一高さで内側に屈曲する一対の折り畳み壁２、２をヒンジ結合されており、さらに該折り畳み壁の上には天井部３がヒンジ結合されている。前記折り畳み壁には、図１には図示されていないがロック手段が設けられていて折り畳み壁２の展開させると作動しその状態を維持し、全体が直方体の折り畳み式簡易住宅モジュールＡを形成している。これを長軸方向からみると、図２に示すような状態が維持されている。
【００１０】
前記折り畳み式簡易住宅モジュールＡ内には、内部に生活に必要な設備を備え付けた二つのサブ・モジュール４と５が長軸方向の両開口端を閉塞するように起立している。また、中央部においては第３のモジュール６が起立しており、全体を二つの部屋に仕切っている。
【００１１】
前記サブ・モジュール４、５、６は、各々前記チャンネル状部材１の側壁１ｂ、１ｂの高さより小なる厚みを有すると共に、前記一対の側壁１ｂ、１ｂの間の間隔より小なる幅を有している。一方において、前記サブ・モジュール４、５、６は前記側壁１ｂ、１ｂに対向する略々長方形の側面４ａ、５ａ、６ａを有し、該長方形の側面の長手方向の寸法の合計は前記床板１の長軸方向の寸法より小である。このために、保管時においては各サブ・モジュール４、５、６は前記一対の側壁１ａと１ｂの間に倒し込んで嵌合させることができる。この状態でさらに、前記一対の折り畳み壁２、２を、図２と図３に示すように内側に折り畳み、チャンネル状部材に嵌合したサブ・モジュールに重ね合わせて収納する。
【００１２】
以上のようにして折り畳まれた折り畳み式簡易住宅モジュールＡは、図示されていないが、その折り畳み壁２または天井部３の適当な箇所にフックをかけることができる公知の構造を有しておりリフトまたはクレーン等で吊り上げられるようになっている。その結果、折り畳み壁が展開されて前記ロック手段が作動して展開状態を維持し、全体が直方体で長軸方向端部が開口した状態で設置する。その後に、作業員が内部に入ってサブ・モジュール４、５、６を起立させて所定箇所に設置するための作業にあたる。
【００１３】
前記サブ・モジュール４は、折り畳み式トイレ４ｂ、一体型キッチン４ｃ、冷蔵庫あるいはゴミ捨て場用の凹所４ｄを一体にして組み立てたもので、図１に示すように折り畳み式簡易住宅モジュールＡの長軸方向の一端部に起立しているのでその開口端を閉塞した形になっている。しかし、実際には前記サブ・モジュール４は、チャンネル状部材１の側壁１ｂ、ｂに対向する前記長方形の側面４ａの対角線長さが床板１ａと天井部３の間の間隔より小であるために、起立する作業の際には天井部に抵触することないが、起立した後のサブ・モジュール４と天井部３の間には隙間が形成されてしまう。
【００１４】
この隙間を目張りするために、起立させたサブ・モジュール４の内側上部にはすきま風防止桁４ｅを短軸方向の略々全長にわたり立設させている。さらに天井部３の長軸方向端縁部から垂下する雨水吹き込み防止用庇３ａ１  を形成している。
【００１５】
また前記サブ・モジュール５には、２段の傾斜式ベッドが備えられている。前記サブ・モジュール４と同様に、該サブ・モジュール５もチャンネル状部材１の側壁１ｂに対向する長方形の側面５ａの対角線長さが床板１ａと天井部３の間の間隔より小であるために、起立させる作業の際に天井部３と抵触することはないが、起立した後のサブ・モジュール５と天井部３の間には隙間が形成されてしまう。
【００１６】
この隙間を目張りするために、起立させたサブ・モジュール５の内側上部にはすきま風防止桁５ｅを短軸方向の略々全長にわたり立設させている。さらに天井部３の長軸方向端縁部から垂下する雨水吹き込み防止用庇３ａ１  を形成している。
【００１７】
前記サブ・モジュール３とサブ・モジュール５の間に起立したサブ・モジュール６の寸法も同様の関係にあるが、図１から明らかなとうり一側において展開する折り畳み式ベッドを２個併設し、ベッド折り畳みの後で収納する収納部を他側に突出させており、該突出した収納部より引出し型事務机が形成されている。その全面は仕切り壁で内部を２室に仕切っていると共に天井部を支持している。
【００１８】
さらに前記すきま風防止桁４ｅと５ｅの各々の略々中間部とサブ・モジュール６の略々中間部には切欠きが形成されていて一本の梁７が嵌合され全体構造の長手方向に架せられている。そして、外部から引いた電線を前記梁７内に略々全長にわたり延長させて、該梁７の各部屋に対向する部分の下側に蛍光灯を設けて照明のための電源を供している。また、図示しないが適所にコンセントを設けて室内の電気設備の電源としている。
【００１９】
以上の構造の材質は公知の如何なるものから選択したものでよいが、外皮部分のパーツとしては、サンドイッチ状パネル（ガラス樹脂、積層木材、耐火性断熱材）をガラス樹脂系材と組み合わせて作るのが好ましい。
【００２０】
以上に記述したように、本願発明の折り畳み式簡易住宅モジュールは、非使用時には基部にモジュールを嵌合してその上に折り畳み壁を折り畳んでチャンネル状部材内に嵌合させてサブ・モジュールの上に重ね合わせて収納するので、折り畳まれたモジュールの体積を３分の１以上に縮小することが可能で、その保管・備蓄の省スペースにきわめて有効であり、トレーラで８個を同時に輸送することが可能で輸送の経済性も優れている。
【００２１】
また、リフトまたはクレーンで吊り上げることにより容易に展開することができるので、組立作業、付帯設備の接続作業が容易でテントを敷設するで完成させることができるという組立作業の簡易性を有している。また、サブ・モジュールを適当に設計することができるので緊急・居住・イベント等の用途に応じて内部の設備を選択することが可能である。
【００２２】
また、一対の折り畳み壁は、略々同一高さで内側に屈曲する構成を有しているので全体構造の折り畳みと収納、あるいは、その逆の開梱と展開の動作を一挙に行うことができて収納や設置の作業時間が短縮される効果がある。
【００２３】
また、二つのサブ・モジュールの間に第３のサブ・モジュールを起立させるので全体の構造の中で天井部を支持する部材が増えことになり強度が向上する。また、このサブ・モジュールが生活に必要な設備を備え付けることができるので室内の付帯設備が多様になり、快適な生活空間を楽しむことができる。
【図面の簡単な説明】
【図１】本願発明の係る折り畳み式簡易住宅モジュールの組み立てた状態の斜視図である。
【図２】図１の折り畳み式簡易住宅サブ・モジュールの長軸方向の略図である。
【図３】図２の折り畳み式簡易住宅サブ・モジュールの折り畳み壁を屈曲させた状態の略図である。
【図４】図３の折り畳み式簡易住宅サブ・モジュールを更に折り畳みモジュールを嵌合したチャンネル状部材の上に重ね合わせて収納した状態の略図である。
【符号の説明】
Ａ          折り畳み式簡易住宅モジュール
１          チャンネル状部材
１ａ        床板
１ｂ        側壁
２          折り畳み式壁
３          天井部
４、５、６  サブ・モジュール
【図１】
0003562776.tif 000002
【図２】
0003562776.tif 000003
【図３】
0003562776.tif 000004
【図４】
0003562776.tif 000005